(57)【要約】【課題】ユーザにとって所望の印刷用画像、のデータを提供する印刷データ提供サーバーを実現する。【解決手段】（Ａ）ユーザ端末とデータの送受信を行うための通信部と、（Ｂ）前記通信部を介して前記ユーザ端末から受信した、電子番組表中の個別の番組を示すデータ、に基づいて、該個別の番組に関連付けられた印刷媒体への印刷用画像、のデータを作成するための素材の候補、を示すデータ、を前記通信部に前記ユーザ端末に向けて送信させる第一処理と、前記通信部を介して前記ユーザ端末から受信した、前記素材の候補のうちの選択された被選択素材を示すデータ、に基づいて、前記被選択素材の素材データから前記印刷用画像のデータを作成して、該印刷用画像のデータを前記通信部に前記ユーザ端末に向けて送信させる第二処理と、を実行する処理実行部と、（Ｃ）を有する印刷データ提供サーバー。【選択図】図６
2008305009.tif 000002
【特許請求の範囲】
【請求項１】
（Ａ）ユーザ端末とデータの送受信を行うための通信部と、
（Ｂ）前記通信部を介して前記ユーザ端末から受信した、電子番組表中の個別の番組を示すデータ、に基づいて、
該個別の番組に関連付けられた印刷媒体への印刷用画像、のデータを作成するための素材の候補、
を示すデータ、を前記通信部に前記ユーザ端末に向けて送信させる第一処理と、
前記通信部を介して前記ユーザ端末から受信した、前記素材の候補のうちの選択された被選択素材を示すデータ、に基づいて、
前記被選択素材の素材データから前記印刷用画像のデータを作成して、該印刷用画像のデータを前記通信部に前記ユーザ端末に向けて送信させる第二処理と、
を実行する処理実行部と、
（Ｃ）を有することを特徴とする印刷データ提供サーバー。
【請求項２】
請求項１に記載の印刷データ提供サーバーにおいて、
前記素材の候補を示すデータは、該素材の候補を素材カテゴリ別に分けて示すデータであることを特徴とする印刷データサーバー。
【請求項３】
請求項１又は請求項２のいずれかに記載の印刷データ提供サーバーにおいて、
前記処理実行部は、前記第二処理時、
前記印刷用画像のデータを前記通信部に前記ユーザ端末に向けて送信させる前に、
該印刷用画像のデータに応じた課金料金を算出し、該課金料金を示すデータを前記通信部に前記ユーザ端末に向けて送信させることを特徴とする印刷データ提供サーバー。
【請求項４】
請求項１乃至請求項３のいずれかに記載の印刷データ提供サーバーにおいて、
前記処理実行部は、
前記第一処理及び前記第二処理を実行する第一モードと、
前記通信部を介して前記ユーザ端末から受信した、前記個別の番組を示すデータ、に基づいて、該個別の番組に関連付けられた既成の印刷用画像の候補、を示すデータ、を前記通信部に前記ユーザ端末に向けて送信させる第三処理、及び、
前記通信部を介して前記ユーザ端末から受信した、前記既成の印刷用画像の候補のうちの選択された被選択印刷用画像を示すデータ、に基づいて、該被選択印刷用画像のデータを前記通信部に前記ユーザ端末に向けて送信させる第四処理、を実行する第二モードと、
を切替えて実施することが可能であり、
前記個別の番組を示すデータを受信すると、前記第一モード及び前記第二モードの選択肢を示すデータ、を前記通信部に前記ユーザ端末に向けて送信させ、
前記通信部を介して前記ユーザ端末から受信した、前記選択肢のうちの選択された選択肢を示すデータ、に基づいて前記第一モード及び前記第二モードのいずれか一方のモードを実施することを特徴とする印刷データ提供サーバー。
【発明の詳細な説明】
【技術分野】
【０００１】
本発明は、ユーザ端末に向けて印刷データを提供する印刷データ提供サーバーに関する。特に、電子番組表中の個別の番組に関連付けられた印刷媒体への印刷用画像、のデータを提供する印刷データ提供サーバーに関する。
【背景技術】
【０００２】
ユーザ端末とデータの送受信を行うための通信部と、該通信部を介して前記ユーザ端末から受信したデータに基づいて所定のデータを前記通信部に前記ユーザ端末に向けて送信させる処理を実行する処理実行部と、を有するサーバーは既に周知である。サーバーが送信する前記所定のデータとしては、例えば、電子番組表中の個別の番組に関連付けられた印刷媒体への印刷用画像のデータが考えられる（例えば、特許文献１参照）。当該データをサーバーから取得したユーザは、例えば、前記番組を録画したＤＶＤ等（すなわち、前記番組の映像データが記録されたＤＶＤ等）を管理するために、印刷装置を用いて前記ＤＶＤのレーベル面や収納ケースのラベル用紙などの印刷媒体に前記印刷用画像を印刷することがある。
【特許文献１】特開２００６−３５１０５２号公報
【発明の開示】
【発明が解決しようとする課題】
【０００３】
ところで、前記印刷用画像はユーザにとって所望の画像であることが望ましい。つまり、前記サーバーに対して、ユーザにとって所望の印刷用画像のデータを提供する機能が求められている。しかし、従来のサーバーは、デザインが予め決められた印刷用画像（すなわち、既成の印刷用画像）のデータを送信するものが多く、上記の要求に応えることが困難であった。
【０００４】
本発明は、かかる課題に鑑みてなされたものであり、その目的とするところは、ユーザにとって所望の印刷用画像、のデータを提供可能な印刷データ提供サーバーを実現することである。
【課題を解決するための手段】
【０００５】
前記課題を解決するために、主たる本発明は、（Ａ）ユーザ端末とデータの送受信を行うための通信部と、（Ｂ）前記通信部を介して前記ユーザ端末から受信した、電子番組表中の個別の番組を示すデータ、に基づいて、該個別の番組に関連付けられた印刷媒体への印刷用画像、のデータを作成するための素材の候補、を示すデータ、を前記通信部に前記ユーザ端末に向けて送信させる第一処理と、前記通信部を介して前記ユーザ端末から受信した、前記素材の候補のうちの選択された被選択素材を示すデータ、に基づいて、前記被選択素材の素材データから前記印刷用画像のデータを作成して、該印刷用画像のデータを前記通信部に前記ユーザ端末に向けて送信させる第二処理と、を実行する処理実行部と、（Ｃ）を有することを特徴とする印刷データ提供サーバー、である。
【０００６】
本発明の他の特徴については、本明細書及び添付図面の記載により明らかにする。
【発明を実施するための最良の形態】
【０００７】
本明細書及び添付図面の記載により少なくとも次のことが明らかにされる。
【０００８】
先ず、（Ａ）ユーザ端末とデータの送受信を行うための通信部と、（Ｂ）前記通信部を介して前記ユーザ端末から受信した、電子番組表中の個別の番組を示すデータ、に基づいて、該個別の番組に関連付けられた印刷媒体への印刷用画像、のデータを作成するための素材の候補、を示すデータ、を前記通信部に前記ユーザ端末に向けて送信させる第一処理と、前記通信部を介して前記ユーザ端末から受信した、前記素材の候補のうちの選択された被選択素材を示すデータ、に基づいて、前記被選択素材の素材データから前記印刷用画像のデータを作成して、該印刷用画像のデータを前記通信部に前記ユーザ端末に向けて送信させる第二処理と、を実行する処理実行部と、（Ｃ）を有する印刷データ提供サーバーである。
【０００９】
かかる印刷データ提供サーバーは、前記個別の番組に関連付けられた印刷用画像のデータを、該印刷用画像の素材の素材データから作成する。素材とは、背景画像等の画像や、前記個別の番組のタイトルや出演者等を示す文字列等の印刷用画像を構成するものであり、該印刷用画像のデータを作成するためのものである。また、前記印刷データ提供サーバーは、前記素材のうちのユーザ端末にて選択された被選択素材の素材データから印刷用画像のデータを作成する。ここで、被選択素材は、ユーザ端末にて該ユーザ端末の保有者（ユーザ）が選択した素材であり、ユーザにとって好みの素材である。このため、該被選択素材により構成された印刷用画像は、ユーザにとって所望の印刷用画像となる。したがって、上記の印刷データ提供サーバーは、ユーザにとって所望の印刷用画像のデータを提供することが可能になる。
【００１０】
また、上記の印刷データ提供サーバーにおいて、前記素材の候補を示すデータは、該素材の候補を素材カテゴリ別に分けて示すデータであることとしてもよい。かかる場合、ユーザ端末側において素材の選択を容易に行うことが可能になる。なお、素材カテゴリとは、レーベル画像を作成するための素材を分類する概念である。
【００１１】
また、上記の印刷データ提供サーバーにおいて、前記処理実行部は、前記第二処理時、前記印刷用画像のデータを前記通信部に前記ユーザ端末に向けて送信させる前に、該印刷用画像のデータに応じた課金料金を算出し、該課金料金を示すデータを前記通信部に前記ユーザ端末に向けて送信させることとしてもよい。かかる場合、印刷用画像のデータを取得するユーザに対して課金を行うことにより、印刷データ提供サーバーの運営者は収益を得ることが可能になる。
【００１２】
また、上記の印刷データ提供サーバーにおいて、前記処理実行部は、前記第一処理及び前記第二処理を実行する第一モードと、前記通信部を介して前記ユーザ端末から受信した、前記個別の番組を示すデータ、に基づいて、該個別の番組に関連付けられた既成の印刷用画像の候補、を示すデータ、を前記通信部に前記ユーザ端末に向けて送信させる第三処理、及び、前記通信部を介して前記ユーザ端末から受信した、前記既成の印刷用画像の候補のうちの選択された被選択印刷用画像を示すデータ、に基づいて、該被選択印刷用画像のデータを前記通信部に前記ユーザ端末に向けて送信させる第四処理、を実行する第二モードと、を切替えて実施することが可能であり、前記個別の番組を示すデータを受信すると、前記第一モード及び前記第二モードの選択肢、を示すデータ、を前記通信部に前記ユーザ端末に向けて送信させ、前記通信部を介して前記ユーザ端末から受信した、前記選択肢のうちの選択された選択肢を示すデータ、に基づいて、前記第一モード及び前記第二モードのいずれか一方のモードを実施することとしてもよい。かかる場合、ユーザが印刷用画像のデータを取得するための際の選択の幅が広がる。
【００１３】
＝＝＝本実施形態の印刷データ提供サーバーについて＝＝＝
先ず、本実施形態の印刷データ提供サーバーについて、図１を用いて説明する。図１は、本実施形態に係る印刷データ提供サーバー及びユーザ端末についてのブロック図である。
【００１４】
本実施形態の印刷データ提供サーバーは、印刷用画像のデータとして、印刷媒体の一例であるＤＶＤのレーベル面に印刷される画像（以下、レーベル画像）のデータを提供するサーバーであり、以下、レーベル提供サーバー１と呼ぶ。このレーベル提供サーバー１は、ＣＰＵ、メモリ（本明細書中、メモリとは、ＲＡＭ及びＲＯＭの他、ハードディスク等の補助記憶装置を含む概念である）、該メモリに保存されたＯＳやアプリケーションプログラムの各種プログラムを備えた装置である。アプリケーションプログラム中には、ユーザ端末１０に向けてレーベル画像のデータを送信するサービスを提供するためのサーバーアプリケーションプログラムが含まれている。
【００１５】
レーベル提供サーバー１は、図１に示すように、ネットワーク２を介してユーザ端末１０と互いに通信可能な状態で接続している。つまり、レーベル提供サーバー１は、ユーザ端末１０に向けてレーベル画像のデータを送信する。そして、ユーザ端末１０は、ネットワーク２を経由して前記レーベル画像のデータを受信する。なお、本実施形態において、ネットワーク２はインターネットである。
【００１６】
ユーザ端末１０は、ＣＰＵ、メモリ、及び、該メモリに保存されたＯＳやアプリケーションプログラムの各種プログラム、を有するクライアントＰＣである。アプリケーションプログラムの中には、サーバーから受信したデータを解析し、該データに基づく画像や文字列を描画するためのブラウザプログラムが含まれている。
【００１７】
ユーザ端末１０は、図１に示すように、ＤＶＤのレーベル面に前記レーベル画像を印刷するためのプリンタ２０と接続している。そして、ユーザ端末１０は、前記レーベル提供サーバー１から受信したレーベル画像のデータ、に基づいて、前記プリンタ２０に前記レーベル画像の印刷を実行させる。つまり、ユーザ端末１０及びプリンタ２０のユーザは、データが記憶されたＤＶＤを管理するために、当該ＤＶＤのレーベル面にレーベル画像を印刷させることが可能である。なお、本実施形態のプリンタ２０は、インクジェット方式のプリンタであるが、これに限定されず、他の印刷方式のプリンタであってもよい。
【００１８】
また、図１に示すように、前記ネットワーク２には、電子番組表のデータを送信する電子番組表データ提供サーバー３が接続している。この電子番組表データ提供サーバー３は、ユーザ端末１０からの要求に応じて電子番組表のデータを前記ユーザ端末１０に向けて送信し、該ユーザ端末１０は電子番組表のデータを受信すると、該データに基づいて、後述の電子番組表（図２参照）を表示する。なお、本実施形態において、電子番組表のデータはｈｔｍｌ形式のデータである。
【００１９】
本実施形態では、図１に示すように、レーベル提供サーバー１と、電子番組表データ提供サーバー３とは、互いに異なるサーバーである。但し、これに限定されるものではなく、上記２つのサーバーは同一のサーバーであることとしてもよい。  
以下、レーベル提供サーバー１及びユーザ端末１０の各々の構成について説明する。
【００２０】
＜＜レーベル提供サーバーの構成例＞＞
先ず、レーベル提供サーバー１の構成について説明する。レーベル提供サーバー１は、図１に示すように、制御部４１と、通信部４２と、保存部４３と、処理実行部４４と、を有している。
【００２１】
制御部４１は、ＣＰＵ等により構成され、レーベル提供サーバー１の各部（すなわち、通信部４２、保存部４３、及び、処理実行部４４）を制御するものである。また、レーベル提供サーバー１の各部は前記制御部４１を介して互いに接続されている。通信部４２は、通信用のインタフェース等により構成され、ネットワーク２を経由して前記ユーザ端末１０とのデータの送受信を行うためのものである。保存部４３は、メモリ等により構成され、各種データを保存するためのものである。
【００２２】
処理実行部４４は、ＣＰＵと各種プログラムにより構成され、レーベル画像のデータを前記通信部４２にユーザ端末１０に向けて送信させるための一連の処理を実行するものである。本実施形態の処理実行部４４が前記一連の処理を実行するモードには、第一モード及び第二モードがある。そして、前記処理実行部４４は、第一モードと第二モードとを切替えて実施することが可能である。また、これらのモードの切替えに関する制御は、前記制御部４１により、前記通信部４２を介してユーザ端末１０から受信するモード指定データ（モード指定データについては後述する）に基づいて行われる。
【００２３】
第一モードでは、先ず、処理実行部４４が、レーベル画像の素材の候補を示すデータ、を通信部４２にユーザ端末１０に向けて送信させる処理を実行する。その後、前記処理実行部４４は、前記通信部４２を介して前記ユーザ端末１０から受信した、前記素材の候補のうちの選択された被選択素材を示すデータ、に基づいて該被選択素材の素材データからレーベル画像のデータを作成し、該データを前記通信部４２にユーザ端末１０に向けて送信させる処理を実行する。換言すると、第一モードとは、ユーザ端末１０のユーザが選択した素材（つまり、ユーザが好む素材）により構成されたレーベル画像、のデータをユーザ端末１０に提供するモードである。なお、素材データは、前記保存部４３に保存されている。
【００２４】
一方、第二モードでは、先ず、処理実行部４４が、既成のレーベル画像の候補を示すデータ、を通信部４２にユーザ端末１０に向けて送信させる処理を実行する。ここで、既成のレーベル画像とは、レーベル提供サーバー１にて予め用意されたレーベル画像であり、決められた素材により構成されたものである。その後、前記処理実行部４４は、前記通信部４２を介してユーザ端末１０から受信した、前記既成のレーベル画像の候補のうちの選択された被選択レーベル画像を示すデータ、に基づいて該被選択レーベル画像のデータを前記通信部４２にユーザ端末１０に向けて送信させる処理を実行する。なお、既成のレーベル画像のデータも、前記保存部４３に保存されている。
【００２５】
以上のような２つのモードを実施するために、処理実行部４４は、図１に示すように、素材候補データ送信処理部２０１と、レーベル候補データ送信処理部２０２と、作成処理部２０３と、レーベルデータ送信処理部２０４と、を備えている。なお、処理実行部４４の各部が行う処理については、後述する。さらに、処理実行部４４は、レーベル画像のデータを前記通信部４２にユーザ端末１０に向けて送信させる前に、該データに応じた課金料金を算出し、該課金料金を示すデータを前記通信部４２にユーザ端末１０に向けて送信させる処理を実行する課金処理部２０５、を備えている。つまり、本実施形態では、ユーザ端末１０のユーザは、レーベル提供サーバー１からレーベル画像のデータを取得する場合、前記課金料金を支払うことになる。
【００２６】
＜＜ユーザ端末の構成例＞＞
次に、ユーザ端末１０の構成について説明する。  
ユーザ端末１０は、前述したように、各サーバーから受信したデータに基づいて画像や文字列を描画する機能、を備えている。また、ユーザ端末１０は、テレビ放送局から発信されるテレビ番組（以下、単に番組とも言う）の放送電波を受信し該放送電波を変換して映像データを取得する機能と、当該映像データに基づいて前記番組の映像や音声を出力する機能と、前記映像データをＤＶＤに記憶させる機能と、を備えている。さらに、ユーザ端末１０は、ユーザが行う録画予約操作に基づいて、ユーザが指定した番組の映像データを取得する機能、すなわち、録画予約を設定する機能を備えている。これらの機能を実現するために、ユーザ端末１０には、図１に示すように、制御部１１と、映像データ取得部１２と、通信部１３と、入力部１４と、出力部１５と、データ保存部１６と、データ書込部１７と、データ処理実行部１８と、印刷制御部１９と、が備えられている。
【００２７】
制御部１１は、ユーザ端末１０の各部を制御し、当該各部は制御部１１を介して互いに接続されている。映像データ取得部１２は、チューナーやエンコーダ等により構成され、テレビ放送局から発信される放送電波を受信し、該放送電波の検波及び復調を行った後、所定の規格に従ってエンコードすることによって前記番組の映像データを取得する。エンコードされた映像データは、動画ファイルとしてデータ保存部１６に保存される。通信部１３は、通信用のインタフェース等により構成され、ネットワーク２に接続した各サーバーとの通信を行い、各サーバーとの間でデータの送受信を行うためのものである。入力部１４は、キーボードやマウス等により構成され、ユーザの入力操作を受け付けるためのものである。出力部１５は、ディスプレイ等により構成され、映像データ取得部１２により取得された映像データに基づく番組の映像や音声を出力する。また、出力部１５は、後述のブラウザ画面３０を映し出す。データ保存部１６は、前述のメモリにより構成され、各サーバーから受信したデータをはじめとする各種データを保存するためのものである。データ書込部１７は、ＤＶＤへのデータの書き込みを行うものであり、例えば、データ保存部１６に保存された番組の映像データを読み出し、該映像データを所定の書込方式に従ってＤＶＤへ書き込む。
【００２８】
データ処理実行部１８は、ＣＰＵと各種プログラムにより構成され、ユーザ端末１０における各種データ処理を行うものである。このデータ処理実行部１８は、図１に示すように、データ生成処理部１０１と、データ送受信処理部１０２と、表示処理部１０３と、番組録画設定処理部１０４と、を備えている。
【００２９】
データ生成処理部１０１は、前記入力部１４を介してユーザの入力操作を受け付け、当該入力操作に対応するデータを生成する処理を実行する。例えば、ユーザが各サーバーに対してデータ送信を要求するための送信要求操作を行った場合には、データ生成処理部１０１は、当該送信要求操作に基づき、該各サーバーに対してデータ送信を要求するためのデータ（以下、送信要求データ）を生成する。
【００３０】
データ送受信処理部１０２は、データ生成処理部１０１が生成したデータを通信部１３に各サーバーに向けて送信させ、また、前記通信部１３を介して当該各サーバーからデータを受信する処理を実行する。例えば、前記データ生成処理部１０１が生成した送信要求データを前記通信部１３に前記各サーバーに向けて送信させ、前記送信要求データに基づいて、前記各サーバーから送信されたデータを前記通信部１３を介して受信する。
【００３１】
表示処理部１０３は、前記制御部１１を介して出力部１５にブラウザ画面３０（図２参照）を映し出す処理を行う。また、表示処理部１０３は、データ送受信処理部１０２が受信したデータを解析して、該データに基づく画像や文字列を前記ブラウザ画面３０に表示する処理を実行する。
【００３２】
番組録画設定処理部１０４は、ユーザが指定した番組（録画予約番組）に対して録画予約を設定する処理を実行するものである。具体的に説明すると、番組録画設定処理部１０４は、前記制御部１１を介して前記映像データ取得部１２を制御し、設定された録画予約の情報（録画予約番組の放送チャンネル、録画開始時刻、及び、録画終了時刻など）に従って、該映像データ取得部１２に録画予約番組の映像データを取得させる。
【００３３】
印刷制御部１９は、プリンタ２０と接続するためのインタフェースやプリンタドライバにより構成され、プリンタ２０の印刷動作を制御するものである。そして、この印刷制御部１９が、レーベル提供サーバー１から受信したレーベル画像のデータに基づいて、プリンタ２０に該レーベル画像を印刷させる。
【００３４】
＜＜電子番組表について＞＞
次に、本実施形態の電子番組表について、図２を用いて説明する。図２は、電子番組表Ｔが表示されたブラウザ画面３０を示す図である。図２中には、２００７年５月２５日の２１時以降に各テレビ放送局が放送する番組の情報が掲載された電子番組表Ｔが示されている。
【００３５】
電子番組表Ｔは、電子番組表データ提供サーバー３から受信した電子番組表のデータに基づいてブラウザ画面３０に表示されるものである。電子番組表Ｔには、図２に示すように、各テレビ放送局（図２中、チャンネル１、チャンネル２、チャンネル１８と表記）が各時間帯に放送する番組について、放送開始時刻、番組タイトル、出演者等の情報が、テレビ放送局及び放送時間毎に区分されてテーブル形式で表示されている。なお、以下の説明では、電子番組表Ｔ中に設けられた、放送局と放送時間によって特定される欄を番組欄と呼ぶ。
【００３６】
電子番組表Ｔ中の各番組の番組欄内には、当該各番組の録画予約を設定するための録画予約ボタンＴｒが設けられている。ユーザがある番組の録画予約ボタンＴｒをクリックすると、データ生成処理部１０１が、該ある番組を示すデータ（すなわち、録画予約ボタンＴｒがクリックされた番組を特定するためのデータであり、以下、録画予約番組特定データ）を生成する。録画予約番組特定データは、データ送受信処理部１０２により所定のサーバー（本実施形態では、電子番組表データ提供サーバー３）に向けて送信される。そして、電子番組表データ提供サーバー３は、前記録画番組特定データに基づいて、前記ある番組の録画予約を設定するために必要なデータ（以下、録画予約設定データ）をユーザ端末１０に向けて送信する。当該録画予約設定データを受信したユーザ端末１０では、番組録画設定処理部１０４が、前記録画予約設定用データに基づいて、前記ある番組の録画予約を設定するようになる。
【００３７】
さらに、各番組の番組欄内には、当該各番組のレーベル画像のデータをレーベル提供サーバー１から取得するためのレーベルデータ取得ボタンＴｇが設けられている。ここで、番組のレーベル画像とは、例えば、該番組の映像データが記録されたＤＶＤを管理するために当該ＤＶＤのレーベル面に印刷されるレーベル画像であり、前記番組に関連付けられたレーベル画像である。つまり、レーベルデータ取得ボタンＴｇは、電子番組表からレーベル提供サーバー１にアクセスするためのボタンであり、該レーベル提供サーバー１は、レーベルデータ取得ボタンＴｇがクリックされた番組について、該番組に関連付けられたレーベル画像のデータをユーザ端末１０に向けて送信する。
【００３８】
具体的に説明すると、ユーザがある番組のレーベルデータ取得ボタンＴｇをクリックすると、データ生成処理部１０１が、前記ある番組を示すデータ（すなわち、レーベルデータ取得ボタンＴｇがクリックされた番組を特定するためのデータであり、以下、番組特定データ）を生成する。番組特定データは、データ送受信処理部１０２によりレーベル提供サーバー１に向けて送信される。番組特定データを受信したレーベル提供サーバー１は、当該番組特定データに基づいて、前記ある番組のレーベル画像のデータをユーザ端末１０に向けて送信する。
【００３９】
以上のように、本実施形態では、電子番組表Ｔを利用して、電子番組表Ｔ中の個別の番組の録画予約を設定し、かつ、該個別の番組に関連付けられたレーベル画像のデータを取得することが可能である。このため、電子番組表Ｔを利用して録画予約が設定された番組（録画予約番組）の映像データ、がＤＶＤに記録された場合、電子番組表Ｔを利用してレーベル提供サーバー１から取得されたデータに基づいて、前記ＤＶＤのレーベル面に前記個別の番組に関連付けられたレーベル画像を印刷することが可能になる。この結果、ユーザは、ＤＶＤのレーベル面に印刷されたレーベル画像を見て、該レーベル画像と関連付けられた番組の映像データが前記ＤＶＤに記録されていることを確認し、該ＤＶＤを適切に管理することが可能になる。
【００４０】
＜＜レーベルデータ送信処理について＞＞
次に、レーベル提供サーバー１にて実行されるレーベル画像のデータの送信処理（以下、レーベルデータ送信処理）について、図３を用いて説明する。図３は、レーベルデータ送信処理のフロー図である。
【００４１】
レーベルデータ送信処理が実行される前に、ユーザ端末１０では、電子番組表が表示されている（Ｓ１０）。そして、ユーザが、電子番組表中の個別の番組に対してレーベルデータ取得ボタンＴｇをクリックする操作を行うと、前述したように、前記個別の番組を示す番組特定データが生成される。この番組特定データがレーベル提供サーバー１に向けて送信されることにより（Ｓ１２）、レーベル提供サーバー１に対して、前記個別の番組に関連付けられたレーベル画像のデータの送信が要求される。すなわち、番組特定データは、前述のデータ生成処理部１０１が生成する送信要求データの一つである。そして、図３に示すように、レーベル提供サーバー１の処理実行部４４が通信部４２を介して前記番組特定データを受信することに伴い（Ｓ１４）、レーベルデータ送信処理が開始される。
【００４２】
以下、図２に示す電子番組表Ｔが表示された状態で、該電子番組表Ｔ中、チャンネル２にて２１時から放送され、番組タイトルが「映画Ａ」である番組（以下、単に「映画Ａ」）のレーベルデータ取得ボタンＴｇがクリックされた場合を具体例に挙げて説明する。すなわち、以下では、レーベル提供サーバー１が「映画Ａ」のレーベル画像のデータを送信する場合について説明する。
【００４３】
レーベル提供サーバー１の処理実行部４４は、「映画Ａ」の番組特定データを受信すると、前述した第一モード及び第二モードの選択肢を示すデータとしてのモード選択画面のデータ、を前記通信部４２にユーザ端末１０に向けて送信させる（Ｓ１６）。なお、モード選択画面のデータは、保存部４３に保存されている。
【００４４】
当該モード選択画面のデータを受信したユーザ端末１０では、該モード選択画面のデータに基づいて、図４に示すモード選択画面３２がブラウザ画面３０に重畳した状態で表示される（Ｓ１８）。図４は、モード選択画面３２を示す図である。モード選択画面３２には、前記第一モードと前記第二モードの選択肢３４が表示されている。なお、図４中、第一モードの選択肢は「素材を選択してレーベル画像を取得するモード」と記された選択肢であり、第二モードの選択肢は「既成のレーベル画像を取得するモード」と記された選択肢である。
【００４５】
モード選択画面３２が表示されると、ユーザは、前記選択肢３４に対する選択操作として、各選択肢に設けられたチェックボックス３６のうち、いずれか一方のモードの選択肢のチェックボックス３６にチェックマークを入れる操作を行う。その後、ユーザがモード選択画面３２に設けられた選択完了ボタン３８（図４中、「ＯＫ」と記されたボタン）をクリックすると、ユーザの選択操作に基づいて、前記選択肢３４のうちのユーザにより選択された選択肢を示すデータ（すなわち、ユーザにより選択されたモードを指定するためのデータであり、以下、モード指定データ）が生成される。そして、モード指定データがレーベル提供サーバー１に向けて送信されると（Ｓ２０）、該レーベル提供サーバー１の処理実行部４４が、前記通信部４２を介して当該モード指定データを受信する（Ｓ２２）。モード指定データが受信されると、制御部４１は、該モード指定データに基づいて、第一モード及び第二モードとのうち、いずれのモードを前記処理実行部４４に実施させるかを決定する（Ｓ２４）。
【００４６】
以下の処理については、第一モードを実施するケース（Ｓ２６）と、第二実施モードを実施するケース（Ｓ２８）に分けて説明する。
【００４７】
＜第一モード＞
第一モードについて図５を用いて説明する。図５は、第一モードのフロー図である。第一モードは、処理実行部４４が備えた素材候補データ送信処理部２０１が第一処理を実行するステージと、前記処理実行部４４が備えた作成処理部２０３及びレーベルデータ送信処理部２０４が協同して第二処理を実行するステージと、に大別される。ここで、第一処理とは、前述の番組特定データに基づいて、該番組特定データにより特定される番組（すなわち、「映画Ａ」）のレーベル画像のデータを作成するための素材の候補、を示すデータ、を通信部４２にユーザ端末１０に向けて送信させる処理である。第二処理とは、前記素材の候補のうちの選択された被選択素材の素材データからレーベル画像のデータを作成し、該データを通信部４２にユーザ端末１０に向けて送信させる処理である。
【００４８】
先ず、第一処理の実行ステージについて説明する。第一モードの実施が決定すると（Ｓ２４で第一モード）、素材候補データ送信処理部２０１が、「映画Ａ」の番組特定データに基づき、「映画Ａ」のレーベル画像を作成するための素材の候補を示すデータとしての素材一覧表のデータ、を通信部４２にユーザ端末１０に向けて送信させる（Ｓ１０２）。素材一覧表のデータは、保存部４３に保存されており、ユーザ端末１０に向けて送信される際、前記素材候補データ送信処理部２０１により読み出される。前記素材一覧表のデータがユーザ端末１０により受信されると、該データに基づいて、図６に示す素材一覧表５０がブラウザ画面３０に表示される（Ｓ１０４）。図６は、素材一覧表５０を表示したブラウザ画面３０を示す図である。
【００４９】
素材一覧表５０について具体的に説明する。素材一覧表５０には、レーベル提供サーバー１に用意された、「映画Ａ」のレーベル画像を作成するための素材の候補５１ａ、５１ｂ、５１ｃが提示されている。素材の候補５１ａ、５１ｂ、５１ｃの各々には、サムネイル画像５２ａ、５２ｂ、５２ｃが設けられている。当該サムネイル画像５２ａ、５２ｂ、５２ｃは、前記素材の候補５１ａ、５１ｂ、５１ｃの個々に関するイメージ画像である。
【００５０】
また、図６に示すように、素材一覧表５０において、素材の候補５１ａ、５１ｂ、５１ｃは、素材カテゴリ別に分けて提示される。換言すると、前記素材一覧表のデータは、素材カテゴリ別に分けて提示される素材の候補を示すデータである。より具体的に説明すると、レーベル提供サーバー１に用意された、「映画Ａ」のレーベル画像のデータを作成するための素材は、「背景」、「タイトル」、及び、「配役」の３つの素材カテゴリに分類される。一方、素材一覧表５０は、素材カテゴリと同数（すなわち、３つ）の素材提示スペース５０ａ、５０ｂ、５０ｃに区分され、各素材提示スペース５０ａ、５０ｂ、５０ｃに、当該各素材提示スペース５０ａ、５０ｂ、５０ｃに対応する素材カテゴリに属する素材の候補５１ａ、５１ｂ、５１ｃが提示される。例えば、「背景」の素材カテゴリに属する素材の候補５１ａは、「背景」の素材カテゴリに対応する素材提示スペース５０ａ（最上段の素材提示スペース）内に提示される。
【００５１】
素材一覧表５０にて提示される素材の候補５１ａ、５１ｂ、５１ｃと、レーベル提供サーバー１の保存部４３に保存された素材データとの関係について、図７を用いて説明する。図７は、「映画Ａ」のレーベル画像について、レーベル提供サーバー１の保存部４３に保存されたデータを示す図である。
【００５２】
レーベル提供サーバー１の保存部４３には、電子番組表中の個別の番組に関連付けられたレーベル画像のデータ、を作成するための素材データが番組別に分けられた状態で保存されている。具体的に説明すると、前記保存部４３には、「映画Ａ」についてのデータを保存するためのフォルダ（不図示）が設けられており、当該フォルダ内に、図７に示すような「映画Ａ」についての素材データ３０１、３０２、３０３が保存されている。
【００５３】
「映画Ａ」についての素材データ３０１、３０２、３０３にはファイル名が付けられており、当該ファイル名中、先頭から３番目までの文字列は、該各素材データが属する素材カテゴリに対応する文字列となっている。具体的に説明すると、「背景」の素材カテゴリに属する素材データ３０１のファイル名には、「背景」の素材カテゴリに対応する文字列として、「ｂｇｒ」という文字列が含まれている。同様に、「タイトル」の素材カテゴリに属する素材データ３０２のファイル名には「タイトル」の素材カテゴリに対応する文字列「ｔｉｔ」が、「配役」の素材カテゴリに属する素材データ３０３のファイル名には「配役」の素材カテゴリに対応する文字列「ｃｓｔ」が、それぞれ含まれている。
【００５４】
また、図７に示すように、「背景」の素材カテゴリに属する素材データ３０１は、ｊｐｇ形式の画像データである。そして、素材一覧表５０において、「背景」の素材カテゴリに対応する素材提示スペース５０ａに表示されるサムネイル画像５２ａ（図６中、「背景１」、「背景２」、「背景３」、「背景４」と付記されたサムネイル画像５２ａ）は、「背景」の素材カテゴリに属する素材データ３０１に基づくイメージ画像となる。つまり、「背景」の素材カテゴリに対応する素材提示スペース５０ａ内に提示される素材の候補５１ａは、「背景」の素材カテゴリに属する素材データ３０１に基づく素材の候補を示している。
【００５５】
同様に、「タイトル」の素材カテゴリに属する素材データ３０２はｊｐｇ形式の画像データである。そして、「タイトル」の素材カテゴリに対応する素材提示スペース５０ｂ内に提示される素材の候補５１ｂ（図６中、「タイトル１」、「タイトル２」、「タイトル３」、「タイトル４」と付記されたサムネイル画像５２ｂを有する素材の候補５１ｂ）は、「タイトル」の素材カテゴリに属する素材データ３０２に基づく素材の候補を示している。
【００５６】
また、「配役」の素材カテゴリに対応する素材提示スペース５０ｃ内に提示される素材の候補５１ｃ（図６中、「配役１」、「配役２」、「配役３」、「配役４」と付記されたサムネイル画像５２ｃを有する素材の候補５１ｃ）は、「配役」の素材カテゴリに属する素材データ３０３に基づく素材の候補を示している。なお、図７に示すように、「配役」の素材カテゴリに属する素材データ３０３は、テキストデータである。また、「配役」の素材カテゴリに対応する素材提示スペース５０ｃに表示されたサムネイル画像５２ｃは、「配役」の素材カテゴリに属する素材データ３０１に基づく文字列を所定のサイズ及びフォントにて表示したイメージ画像である。
【００５７】
以上のような素材一覧表５０が表示されると、ユーザは、各素材カテゴリ別に、素材の候補５１ａ、５１ｂ、５１ｃに対する素材の選択操作を行う。具体的に説明すると、ユーザは、前記選択操作として、素材の候補５１ａ、５１ｂ、５１ｃの個々に設けられたチェックボックス５３ａ、５３ｂ、５３ｃのうち、ユーザが「映画Ａ」のレーベル画像を作成するための素材として選択した被選択素材のチェックボックス５３ａ、５３ｂ、５３ｃにチェックマークを入れる操作を行う。なお、本実施形態では、各素材カテゴリについて、当該各素材カテゴリに属する素材を使用しないことを選択することが可能である。かかる場合、素材の候補５１ａ、５１ｂ、５１ｃの下方に表示された選択肢（例えば、図６中、「背景を印刷しない」と記された選択肢）に設けられたチェックボックス５４ａ、５４ｂ、５４ｃにチェックマークを入れる。そして、ユーザが、上記の選択操作を行った後、素材一覧表５０の右下脇に配置された決定ボタン５５をクリックすると、前記選択操作に基づいて、各素材カテゴリにおける被選択素材を示すデータ（すなわち、チェックボックス５３ａ、５３ｂａ、５３ｃにチェックマークが入った素材（被選択素材）を指定するためのデータであり、以下、被選択素材指定データ）が生成される。この被選択素材指定データは、レーベル提供サーバー１に向けて送信され（Ｓ１０６）、該レーベル提供サーバー１の処理実行部４４により通信部４２を介して受信される（Ｓ１０８）。そして、被選択素材指定データの受信に伴い、第一処理の実行ステージが終了し、レーベルデータ送信処理が第二処理の実行ステージに移行する。
【００５８】
次に、第二処理の実行ステージについて説明する。作成処理部２０３は、ユーザ端末１０から受信した前記被選択素材指定データに基づいて、保存部４３に保存された素材データのうち、前期被選択素材の素材データを前記保存部４３から読み出し、該素材データからレーベル画像のデータを作成する処理を実行する（Ｓ１１０）。以下、図６中、「背景３」と付記された素材、「タイトル４」と付記された素材、及び、「配役１」及び「配役２」と付記された素材（以下、単に「背景３」の素材などと言う）が被選択素材として選択され、これらの素材の素材データからレーベル画像のデータが作成された場合について説明する。
【００５９】
レーベル画像のデータが完成すると、該データがユーザ端末１０に向けて送信される前に、課金処理部２０５が該データに応じた課金料金を算出する処理を実行する（Ｓ１１２）。課金料金は、ユーザ端末１０にて選択された素材（被選択素材）の種類や数によって決定される。前記課金料金の算出後、課金処理部２０５は、作成処理部２０３が作成したデータに基づくレーベル画像、及び、前記課金料金に関する確認画面のデータを生成し、該データを通信部４２にユーザ端末１０に向けて送信させる（Ｓ１１４）。一方、ユーザ端末１０が確認画面のデータを受信すると、図８に示す確認画面６０がブラウザ画面３０に重畳した状態で表示される（Ｓ１１６）。図８は、確認画面６０を示す図である。
【００６０】
確認画面６０には、図８に示すように、作成処理部２０３が作成されたデータに基づく確認用レーベル画像６１が表示されている。当該確認用レーベル画像６１は、「背景３」の素材と、「タイトル４」の素材と、「配役１」及び「配役２」の素材と、が合成されたものとなっている。確認用レーベル画像６１上において、各素材は、予め設定されたサイズ及び配置位置にて表示される。特に、「配役１」及び「配役２」の素材は予め設定されたフォントにて表示される。換言すると、前記作成処理部２０３は、所定のレイアウトにて被選択素材が配置されたレーベル画像を形成するように、該レーベル画像のデータを作成する。
【００６１】
なお、確認画面６０にて表示される確認用レーベル画像６１は、実際にＤＶＤのレーベル面に印刷されるレーベル画像の縮小図であり、当該確認用レーベル画像６１のデータに基づいてレーベル画像を前記レーベル面に印刷することはできない。
【００６２】
また、確認画面６０には、図８に示すように、課金処理部２０５が算出した課金料金が課金料金表示枠６２内に表示されている。そして、ユーザは、確認画面６０にて表示された確認用レーベル画像６１に対応するレーベル画像のデータをレーベル提供サーバー１から取得した場合、課金料金表示枠６２内に表示された課金料金を支払うことになる。
【００６３】
そして、ユーザは、確認画面６０にて確認用レーベル画像６１及び課金料金を確認し、該確認用レーベル画像６１に対応するレーベル画像のデータをレーベル提供サーバー１から取得することを承諾した場合、前記確認画面６０に設けられた承諾ボタン６３（図８中、「ＯＫ」と記されたボタン）をクリックする。この承諾ボタン６３がクリックされると、レーベル画像のデータの受信を承諾することを示すデータ（以下、承諾データ）が生成され、レーベル提供サーバー１に向けて送信される（Ｓ１１８）。そして、処理実行部４４が通信部４２を介して前記承諾データを受信すると（Ｓ１２０）、レーベルデータ送信処理部２０４が、該承諾データに基づいて、前記レーベル画像のデータを通信部４２にユーザ端末１０に向けて送信させる（Ｓ１２２）。なお、ユーザが確認画面６０に設けられた中断ボタン６４（図８中、「ＣＡＮＣＥＬ」と記されたボタン）をクリックした場合、レーベルデータ送信処理が中断される。
【００６４】
そして、レーベル画像のデータの送信が終了すると、第二処理が完了し、これに伴ってレーベルデータ送信処理が完了する。レーベル画像のデータを受信したユーザ端末１０では、該データに基づいて、図９に示すように、レーベル画像７０がブラウザ画面３０に表示される。図９は、レーベル画像７０が表示されたブラウザ画面３０を示す図である。
【００６５】
レーベル画像７０は、確認画面６０にて表示された確認用レーベル画像６１と同様のデザインを有し、「背景３」の素材と、「タイトル４」の素材と、「配役１」及び「配役２」の素材と、が合成されたものとなっている。そして、レーベル画像７０がブラウザ画面３０に表示された状態で、ユーザが印刷要求操作（例えば、図９に示すように、ファイルメニューの中から「印刷」を選択する動作）を行うと、ユーザ端末１０の印刷制御部１９がプリンタ２０に前記レーベル画像７０の印刷を実行させる。具体的に説明すると、印刷制御部１９が、前記印刷要求操作に基づいて、レーベル画像７０のデータを印刷データに変換し、当該印刷データを印刷待機状態にあるプリンタ２０に入力する。これにより、プリンタ２０は、当該印刷データ（すなわち、変換されたレーベル画像のデータ）に基づいて、前記レーベル画像７０をＤＶＤのレーベル面に印刷する。そして、印刷が完了すると、当該レーベル画像が印刷されたレーベル面を有するＤＶＤが完成する。
【００６６】
＜第二モード＞
第二モードについて図１０を用いて説明する。図１０は、第二モードのフロー図である。第二モードは、処理実行部４４が有するレーベル候補データ送信処理部２０２が第三処理を実行するステージと、前記レーベルデータ送信処理部２０４が第四処理を実行するステージと、に大別される。第三処理とは、番組特定データに基づいて、該番組特定データにより特定される番組（すなわち、「映画Ａ」）に関連付けられた既成のレーベル画像、の候補を示すデータ、を通信部４２にユーザ端末１０に向けて送信させる処理である。第四処理とは、前記既成のレーベル画像の候補のうちのユーザ端末１０にて選択された被選択レーベル画像のデータを通信部４２にユーザ端末１０に向けて送信させる処理である。
【００６７】
先ず、第三処理の実行ステージについて説明する。第二モードの実施が決定すると（Ｓ２４で第二モード）、レーベル候補データ送信処理部２０２が、「映画Ａ」の番組特定データに基づき、既成の「映画Ａ」のレーベル画像の候補を示すデータとしてのレーベル画像一覧表のデータ、を前記通信部４２にユーザ端末１０に向けて送信させる（Ｓ１４２）。レーベル画像一覧表のデータは、保存部に保存されており、ユーザ端末１０に向けて送信される際、前記レーベル候補データ送信処理部２０２により読み出される。前記レーベル画像一覧表のデータがユーザ端末１０に受信されると、該データに基づいて、図１１に示すレーベル画像一覧表８０がブラウザ画面３０に表示される（Ｓ１４４）。図１１は、レーベル画像一覧表８０を表示したブラウザ画面３０を示す図である。
【００６８】
レーベル画像一覧表８０について具体的に説明する。レーベル画像一覧表８０には、レーベル提供サーバー１に用意された、既成の「映画Ａ」のレーベル画像の候補８１が提示されている。既成のレーベル画像の候補８１の各々にはサムネイル画像８２が設けられており、当該サムネイル画像８２は、前記既成の「映画Ａ」のレーベル画像の候補８１の個々に関するイメージ画像である。
【００６９】
レーベル画像一覧表８０にて提示される既成のレーベル画像の候補８１と、レーベル提供サーバー１の保存部４３に保存された既成のレーベル画像のデータとの関係について、既出の図７を用いて説明する。
【００７０】
レーベル提供サーバー１の保存部４３には、図７に示すように、電子番組表中の個別の番組に関連付けられた既成のレーベル画像のデータが番組別に分けられた状態で保存されている。例えば、既成の「映画Ａ」のレーベル画像のデータ３０４は、保存部４３中、前述した「映画Ａ」についてのデータを保存するためのフォルダに保存されている。
【００７１】
また、既成の「映画Ａ」のレーベル画像のデータ３０４の各々は、図７に示すように、ｊｐｇ形式の画像データである。そして、レーベル画像一覧表８０にて表示されるサムネイル画像８２は、前記既成の「映画Ａ」のレーベル画像のデータ３０４に基づくイメージ画像となる。つまり、レーベル画像一覧表８０にて提示される既成の「映画Ａ」のレーベル画像の候補８１は、前記保存部４３に保存された既成の「映画Ａ」のレーベル画像のデータ３０４、に基づくレーベル画像の候補を示すものである。
【００７２】
以上のようなレーベル画像一覧表８０が表示されると、ユーザ端末１０のユーザは、既成のレーベル画像の候補８１に対して選択操作を行う。具体的に説明すると、ユーザは、選択操作として、レーベル画像一覧表８０において個々のレーベル画像に設けられたチェックボックス８３中、ユーザにより選択された被選択レーベル画像のチェックボックス８３にチェックマークを入れる操作を行う。そして、ユーザが、当該選択操作を行った後、レーベル画像一覧表８０の右下脇に配置された決定ボタン８４をクリックすると、前記選択操作に基づいて、前記被選択レーベル画像を示すためのデータ（すなわち、チェックボックス８３にチェックマークが入ったレーベル画像（被選択レーベル画像）を指定するためのデータであり、以下、被選択レーベル画像指定データ）が生成される。この被選択レーベル画像指定データは、レーベル提供サーバー１に向けて送信され（Ｓ１４６）、該レーベル提供サーバー１の処理実行部４４により前記通信部４２を介して受信される（Ｓ１４８）。そして、被選択レーベル画像指定データの受信に伴い、第三処理の実行ステージが終了し、レーベルデータ送信処理が第四処理の実行ステージに移行する。
【００７３】
次に、第四処理の実行ステージについて説明する。レーベルデータ送信処理部２０４は、ユーザ端末１０から受信した被選択レーベル画像指定データに基づいて、前記保存部４３に保存された既成のレーベル画像のデータのうち、前記被選択レーベル画像のデータを読み出す。そして、被選択レーベル画像のデータがユーザ端末１０に向けて送信される前に、前述の課金処理部２０５が該データに応じた課金料金を算出する処理を実行する（Ｓ１５０）。当該課金料金は、被選択レーベル画像の種類によって決定される。そして、課金処理部２０５は、被選択レーベル画像、及び、前記課金料金に関する確認画面のデータを生成し、該データを通信部４２にユーザ端末１０に向けて送信させる（Ｓ１５２）。以降、上述した第二処理と同様の手順により、レーベルデータ送信処理部２０４が、前記被選択レーベル画像のデータを通信部４２にユーザ端末１０に向けて送信させる（Ｓ１５４〜Ｓ１６０）。そして、レーベル画像のデータの送信が終了すると、第四処理が完了し、これに伴ってレーベルデータ送信処理が完了する。
【００７４】
＝＝＝本実施形態のレーベル提供サーバー１の有効性について＝＝＝
本実施形態のレーベル提供サーバー１は、（Ａ）ユーザ端末１０とデータの送受信を行うための通信部４２と、（Ｂ）該通信部４２を介して前記ユーザ端末１０から受信した、電子番組表中の個別の番組を示すデータ、に基づいて、該個別の番組に関連付けられたレーベル画像のデータを作成するための素材の候補、を示すデータ、を前記通信部４２に前記ユーザ端末１０に向けて送信させる第一処理と、前記通信部４２を介して前記ユーザ端末１０から受信した、前記素材の候補のうちの選択された被選択素材を示すデータ、に基づいて、前記被選択素材の素材データから前記レーベル画像のデータを作成して、該印刷用画像のデータを前記通信部に前記ユーザ端末に向けて送信させる第二処理と、を実行する処理実行部４４と、（Ｃ）を有する印刷データ提供サーバーである。これにより、ユーザにとって所望のレーベル画像のデータを提供することが可能な印刷データ提供サーバーが実現されることになる。
【００７５】
すなわち、発明が解決しようとする課題の項で説明した通り、レーベル画像はユーザにとって所望の画像であることが望ましく、該レーベル画像のデータを提供するサーバーに対しては、ユーザが好むレーベル画像のデータを提供する機能が求められている。しかし、従来の印刷データ提供サーバーは、デザインが予め決められた既成のレーベル画像のデータを送信するものが多く、上記の要求に応えることが困難であった。
【００７６】
これに対し、本実施形態のレーベル提供サーバー１では、レーベル画像のデータを送信するにあたり、該データを作成するための素材の候補を示すデータ、をユーザ端末１０に向けて送信する処理が実行される。その後、レーベル提供サーバー１では、ユーザ端末１０から、前記素材の候補のうち選択された被選択素材を示すデータを受信し、該データに基づいて、前記被選択素材の素材データからレーベル画像のデータを作成し、ユーザ端末１０に向けて送信する処理が実施される。このように、本実施形態のレーベル提供サーバー１は、素材の候補を示すデータを送信し該素材の候補に対する選択結果を示すデータを受信することにより、ユーザの要求を受け付けることが可能である。したがって、レーベル提供サーバー１には、ユーザが好む素材により構成されたレーベル画像、すなわち、ユーザにとって所望のレーベル画像のデータを提供する機能が備わっていることになる。
【００７７】
＝＝＝その他の実施例＝＝＝
以上、上記の実施形態に基づき、主として本発明に係る印刷データ提供サーバーについて説明したが、上記した発明の実施の形態は、本発明の理解を容易にするためのものであり、本発明を限定するものではない。本発明は、その趣旨を逸脱することなく、変更、改良され得ると共に、本発明にはその等価物が含まれることはもちろんである。
【００７８】
また、上記の実施形態では、レーベル提供サーバー１が１台のみ存在していることとしたが、これに限定されるものではない。例えば、レーベル提供サーバー１が、テレビ放送局各局に設けられ、複数台のレーベル提供サーバー１が存在していてもよい。
【００７９】
また、上記の実施形態では、レーベル提供サーバー１や電子番組表データ提供サーバー３から送信されるデータ（例えば、レーベル画像のデータや電子番組表のデータ）は、インターネットを経由してユーザ端末１０に向けて送信されることとしたが、これに限定されるものではない。上記のサーバーから送信されるデータは、例えば、ＢＳデジタル放送システムのように、テレビ放送局が発信する放送電波に多重化された状態でユーザ端末１０に向けて送信されることとしてもよい。
【００８０】
また、上記の実施形態では、印刷媒体への印刷用画像の一例として、ＤＶＤのレーベル面に印刷するレーベル画像を例に挙げて説明した。しかし、これに限定されるものではなく、例えば、ＤＶＤの収納ケースに付するラベル紙やジャケット紙などの他の印刷媒体に印刷される印刷用画像のデータであってもよい。
【００８１】
また、上記の実施形態では、素材の候補を示すデータとしての素材一覧表のデータは、素材カテゴリ別に分けて提示される素材の候補を示すデータであることとした。すなわち、素材一覧表５０において、素材の候補５１ａ、５１ｂ、５１ｃは、素材カテゴリ別に分けられ、該素材カテゴリに対応する素材提示スペース５０ａ、５０ｂ、５０ｃ内に提示されることとした。しかし、これに限定されるものではなく、素材の候補は、素材カテゴリ別に分けて提示されなくてもよい。但し、上記の実施形態のように、素材の候補が素材カテゴリ別に分けられて提示される場合、個々の素材は素材カテゴリ毎にまとまって表示されることになる。これにより、ユーザ端末１０側では、素材の選択をより容易に行うことが可能になる。すなわち、ユーザ端末１０のユーザは、前記素材の候補の中から好みの素材を容易に見つけ出し、当該素材を被選択素材として選択することが可能になる。かかる点において、上記実施形態の方が望ましい。
【００８２】
また、上記の実施形態では、処理実行部４４が有する課金処理部２０５が、レーベル画像のデータの送信前に、該データに応じた課金料金を算出し、該課金料金を示すデータとしての確認画面のデータを通信部４２にユーザ端末に向けて送信させることとした。すなわち、上記の実施形態では、レーベル提供サーバー１からレーベル画像のデータを取得するユーザに対して課金が行われることとしたが、これに限定されるものではない。レーベル画像のデータを取得したユーザに対して、課金が行われないこととしてもよい。但し、上記の実施形態のように、ユーザに対して課金を行うことにより、レーベル提供サーバー１の運営者は当該課金に基づく収益を得ることが可能になる。かかる点において、上記の実施形態の方が望ましい。なお、前記課金処理部２０５は、レーベル画像のデータの送信後に、課金料金を算出して該課金料金を示すデータを通信部４２に送信させることとしてもよい。また、レーベルデータ送信処理部２０４は、ユーザが課金料金を入金した後に、レーベル画像のデータを通信部４２にユーザ端末１０に向けて送信させることとしてもよい。
【００８３】
また、上記の実施形態では、処理実行部４４は、第一モードと第二モードとを切替えて実施することが可能であることとした。また、処理実行部４４は、ユーザ端末１０から番組特定データを受信すると、前記第一モード及び前記第二モードの選択肢を示すデータ、を通信部４２にユーザ端末１０に向けて送信させるとともに、該ユーザ端末１０から受信した、前記選択肢のうちの選択された選択肢を示すデータ（すなわち、モード指定データ）、に基づいて前記第一モード及び前記第二モードのいずれか一方のモードを実施することとした。しかし、これに限定されるものではなく、例えば、前記処理実行部４４が第一モードのみを実施し、第二モードについては実行されないこととしてもよい。すなわち、レーベル提供サーバー１から送信されるレーベル画像のデータには、既成のレーベル画像のデータが含まれていなくてもよい。但し、上記の実施形態のように、処理実行部４４が前記第一モードと前記第二モードとを切替えて実施することが可能であれば、ユーザがレーベル提供サーバー１からレーベル画像のデータを取得する際の選択の幅が広がる。かかる点において、上記の実施形態の方が望ましい。
【図面の簡単な説明】
【００８４】
【図１】本実施形態に係る印刷データ提供サーバー及びユーザ端末についてのブロック図である。
【図２】電子番組表Ｔが表示されたブラウザ画面３０を示す図である。
【図３】レーベル画像印刷処理のフロー図である。
【図４】モード選択画面３２を示す図である。
【図５】第一モードのフロー図である。
【図６】素材一覧表５０を表示したブラウザ画面３０を示す図である。
【図７】「映画Ａ」のレーベル画像に関して、レーベル提供サーバー１の保存部４３に保存されたデータを示す図である。
【図８】確認画面６０を示す図である。
【図９】レーベル画像７０が表示されたブラウザ画面３０を示す図である。
【図１０】第二モードのフロー図である。
【図１１】レーベル画像一覧表８０を表示したブラウザ画面３０を示す図である。
【符号の説明】
【００８５】
１  レーベル提供サーバー、２  ネットワーク、
３  電子番組表データ提供サーバー、
１０  ユーザ端末、１１  制御部、１２  映像データ取得部、
１３  通信部、１４  入力部、１５  出力部、１６  データ保存部、
１７  データ書込部、１８  データ処理実行部、１９  印刷制御部、
２０  プリンタ、３０  ブラウザ画面、３２  モード選択画面、
３４  選択肢、３６  チェックボックス、３８  選択完了ボタン、
４１  制御部、４２  通信部、４３  保存部、４４  処理実行部、
５０  素材一覧表、
５０ａ，５０ｂ，５０ｃ  素材提示スペース、
５１ａ，５１ｂ，５１ｃ  素材の候補、
５２ａ，５２ｂ，５２ｃ  サムネイル画像、
５３ａ，５３ｂ，５３ｃ  チェックボックス、
５４ａ，５４ｂ，５４ｃ  チェックボックス、
５５  決定ボタン、６０  確認画面、６１  確認用レーベル画像、
６２  課金料金表示枠、６３  承諾ボタン、６４  中断ボタン、
７０  レーベル画像、８０  レーベル画像一覧表、８１  レーベル画像の候補、
８２  サムネイル画像、８３  チェックボックス、８４  決定ボタン、
１０１  データ生成処理部、１０２  データ送受信処理部、
１０３  表示処理部、１０４  番組録画設定処理部、
２０１  素材候補データ送信処理部、２０２  レーベル候補データ送信処理部、
２０３  作成処理部、２０４  レーベルデータ送信処理部、２０５  課金処理部、
３０１，３０２，３０３  素材データ、３０４  レーベル画像のデータ、
Ｔ  電子番組表、Ｔｒ  録画予約ボタン、Ｔｇ  レーベルデータ取得ボタン
【図１】
2008305009.tif 000003
【図３】
2008305009.tif 000004
【図５】
2008305009.tif 000005
【図７】
2008305009.tif 000006
【図１０】
2008305009.tif 000007
【図２】
2008305009.tif 000008
【図４】
2008305009.tif 000009
【図６】
2008305009.tif 000010
【図８】
2008305009.tif 000011
【図９】
2008305009.tif 000012
【図１１】
2008305009.tif 000013